(57)【要約】【課題】  鍵盤シャーシに対する鍵の取付作業性が良く、且つ鍵の上方への飛び出しを防ぐことができる鍵盤装置を提供する。【解決手段】  鍵盤シャーシ１に鍵２を取り付けるために、鍵盤シャーシ１に鍵２のストッパ部１０の下端部を載置して鍵２を前下がりに傾けた状態でストッパ部１０の突起部１２を鍵盤シャーシ１の開口部２０内に向けてガイドするストッパガイド部２５を設けた。従って、鍵盤シャーシ１に鍵２を取り付ける際に、鍵盤シャーシ１のストッパガイド部２５に鍵２のストッパ部１０を載置させた状態で、鍵２を鍵盤シャーシ１の前側に向けて移動させるだけで、鍵２の突起部１２の前部側を鍵盤シャーシ１の開口部２０内に簡単に且つ確実に挿入させることができる。【選択図】        図３
2010191265.tif 000002
【特許請求の範囲】
【請求項１】
鍵盤シャーシ上に鍵が上下方向に回動可能に設けられた鍵盤装置において、
前記鍵から下側に向けて延出された垂下部の下部に前記鍵の前側に向けて突出する突起部が設けられたストッパ部と、
前記鍵盤シャーシに設けられ、前記ストッパ部の前記突起部が上下方向に移動可能に挿入して前記鍵の上下方向における回動範囲を規制するための開口部と、
前記鍵の前記ストッパ部と前記鍵盤シャーシとの一方に設けられ、前記鍵を前記鍵盤シャーシに取り付ける際に、前記鍵を前下がりに傾けて前記ストッパ部の前記垂下部の下端部を載置した状態で前記突起部を前記鍵盤シャーシの前記開口部内に向けてガイドするガイド部と
を備えていることを特徴とする鍵盤装置。
【請求項２】
前記ガイド部は、前記鍵盤シャーシにおける前記開口部からその後部側に所定間隔離れた位置に設けられ、且つ前記開口部側に位置する前部側が低く、その後部側が次第に高くなる傾斜面を有し、この傾斜面で前記ストッパ部の前記垂下部の下端部を載置して前記鍵を前下がりに傾けた状態で前記突起部を前記鍵盤シャーシの前記開口部内に向けてガイドすることを特徴とする請求項１に記載の鍵盤装置。
【請求項３】
前記ガイド部における前記傾斜面の前端部は、前記開口部の内側上部よりも、前記ストッパ部の前記突起部における上下方向の高さとほぼ同じ高さだけ低い位置に形成されていることを特徴とする請求項２に記載の鍵盤装置。
【請求項４】
前記ストッパ部の前記突起部を含む前記垂下部の下端部における前後方向の長さは、前記開口部と前記ガイド部との間に設けられた前記所定間隔よりも十分に長く形成されていることを特徴とする請求項２または請求項３に記載の鍵盤装置。
【請求項５】
前記鍵盤シャーシにおける前記開口部と前記ガイド部との間の前記所定間隔は、前記ストッパ部の前記突起部を除く前記垂下部の前後方向の幅に対して、最小限の広さの間隔で設けられていることを特徴とする請求項２〜請求項４のいずれかに記載の鍵盤装置。
【請求項６】
前記ストッパ部の前記突起部が前記開口部内に挿入されて上下方向に移動する際に、前記ストッパ部の前記垂下部の後端部と前記ガイド部の前端部との間には、僅かな隙間が設けていることを特徴とする請求項２〜請求項５のいずれかに記載の鍵盤装置。
【請求項７】
前記鍵盤シャーシには、前記鍵の前端下部を前記ガイド部とほぼ同じ傾斜角度でガイドする補助ガイド部が設けられていることを特徴とする請求項２〜請求項６のいずれかに記載の鍵盤装置。
【発明の詳細な説明】
【技術分野】
【０００１】
この発明は、電子ピアノなどの鍵盤楽器に用いられる鍵盤装置に関する。
【背景技術】
【０００２】
従来、電子ピアノなどの鍵盤楽器においては、特許文献１に記載されているように、鍵盤シャーシ上に鍵を上下方向に回動可能に取り付けると共に、この鍵にその下側に垂下された下部の先端部が鍵の前側に向けて突出するストッパ部を設け、このストッパ部を鍵盤シャーシの平坦部に設けられた開口部から鍵盤シャーシの内側に挿入させた後、鍵を鍵盤シャーシの前側に向けて移動させてストッパ部の下部の先端部を開口部の縁部に設けられた上限位置規制部の下側に対応させ、この状態で押鍵操作によって鍵が回動した後に初期位置に復帰する際に、ストッパ部の下部の先端部が鍵盤シャーシ内の下面に設けられた上限位置規制部に下側から当接して、鍵の上限位置を規制するように構成されている。
【先行技術文献】
【特許文献】
【０００３】
【特許文献１】特開平１１−３２７５４０号公報
【０００４】
このような鍵盤楽器では、鍵盤シャーシに鍵を取り付ける際に、鍵に設けられたストッパ部を鍵盤シャーシの平坦面に設けられた開口部から鍵盤シャーシ内に挿入させた後に、鍵を鍵盤シャーシの前側に向けて移動させることにより、ストッパ部の下部の先端部を鍵盤シャーシの開口部の縁部に設けられた上限位置規制部の下側に対応させ、この状態で鍵の後部を鍵盤シャーシ上に取り付けている。
【発明の概要】
【発明が解決しようとする課題】
【０００５】
しかしながら、このような従来の鍵盤楽器では、鍵に設けられたストッパ部を鍵盤シャーシの平坦面に設けられた開口部から鍵盤シャーシ内に挿入させた後に、鍵を鍵盤シャーシの前側に向けて移動させる際に、その間ずっと鍵が不安定な状態であるため、作業者が鍵を持ち続けて保持していなければならず、このため鍵の取付作業が面倒であり、取付作業性が悪いという問題がある。
【０００６】
また、このような鍵盤楽器では、鍵に設けられたストッパ部を鍵盤シャーシの平坦面に設けられた開口部から鍵盤シャーシ内に挿入させた状態で、鍵を鍵盤シャーシの前側に向けて移動させた際に、鍵に設けられたストッパ部の下部の先端部が鍵盤シャーシの上限位置規制部の下側に対応しなかったり、またストッパ部の下部の先端部が上限位置規制部に僅かに対応しているが、鍵の押鍵操作や鍵に対する衝撃などによってストッパ部の下部の先端部が上限位置規制部から外れてしまったりすることがあり、このような場合には、鍵の上限位置を規制することができないため、鍵が上方に飛び出してしまうという問題がある。
【０００７】
この発明が解決しようとする課題は、鍵盤シャーシに対する鍵の取付作業性が良く、且つ鍵の上方への飛び出しを防ぐことができる鍵盤装置を提供することである。
【課題を解決するための手段】
【０００８】
この発明は、上記課題を解決するために、次のような構成要素を備えている。
請求項１に記載の発明は、鍵盤シャーシ上に鍵が上下方向に回動可能に設けられた鍵盤装置において、前記鍵から下側に向けて延出された垂下部の下部に前記鍵の前側に向けて突出する突起部が設けられたストッパ部と、前記鍵盤シャーシに設けられ、前記ストッパ部の前記突起部が上下方向に移動可能に挿入して前記鍵の上下方向における回動範囲を規制するための開口部と、前記鍵の前記ストッパ部と前記鍵盤シャーシとの一方に設けられ、前記鍵を前記鍵盤シャーシに取り付ける際に、前記鍵を前下がりに傾けて前記ストッパ部の前記垂下部の下端部を載置した状態で前記突起部を前記鍵盤シャーシの前記開口部内に向けてガイドするガイド部とを備えていることを特徴とする鍵盤装置である。
【０００９】
請求項２に記載の発明は、前記ガイド部が、前記鍵盤シャーシにおける前記開口部からその後部側に所定間隔離れた位置に設けられ、且つ前記開口部側に位置する前部側が低く、その後部側が次第に高くなる傾斜面を有し、この傾斜面で前記ストッパ部の前記垂下部の下端部を載置して前記鍵を前下がりに傾けた状態で前記突起部を前記鍵盤シャーシの前記開口部内に向けてガイドすることを特徴とする請求項１に記載の鍵盤装置である。
【００１０】
請求項３に記載の発明は、前記ガイド部における前記傾斜面の前端部が、前記開口部の内側上部よりも、前記ストッパ部の前記突起部における上下方向の高さとほぼ同じ高さだけ低い位置に形成されていることを特徴とする請求項２に記載の鍵盤装置である。
【００１１】
請求項４に記載の発明は、前記ストッパ部の前記突起部を含む前記垂下部の下端部における前後方向の長さが、前記開口部と前記ガイド部との間に設けられた前記所定間隔よりも十分に長く形成されていることを特徴とする請求項２または請求項３に記載の鍵盤装置である。
【００１２】
請求項５に記載の発明は、前記鍵盤シャーシにおける前記開口部と前記ガイド部との間の前記所定間隔が、前記ストッパ部の前記突起部を除く前記垂下部の前後方向の幅に対して、最小限の広さの間隔で設けられていることを特徴とする請求項２〜請求項４のいずれかに記載の鍵盤装置である。
【００１３】
請求項６に記載の発明は、前記ストッパ部の前記突起部が前記開口部に挿入されて上下方向に移動する際に、前記ストッパ部の前記垂下部の後端部と前記ガイド部の前端部との間には、僅かな隙間が設けていることを特徴とする請求項２〜請求項５のいずれかに記載の鍵盤装置である。
【００１４】
請求項７に記載の発明は、前記鍵盤シャーシに、前記鍵の前端下部を前記ガイド部と同じ傾斜角度でガイドする補助ガイド部が設けられていることを特徴とする請求項２〜請求項６のいずれかに記載の鍵盤装置である。
【発明の効果】
【００１５】
この発明によれば、鍵盤シャーシに鍵を取り付ける際に、鍵のストッパ部と鍵盤シャーシとの一方に設けられたガイド部に鍵のストッパ部を載置させた状態で、鍵を鍵盤シャーシの前側に向けて移動させるだけで、鍵のストッパ部の突起部を鍵盤シャーシの開口部内に簡単に且つ確実に挿入させることができる。このため、鍵を鍵盤シャーシ上に安定させた状態で載置して鍵盤シャーシの前側に向けて移動させることができるので、鍵盤シャーシに対する鍵の取付作業性が良く、且つ鍵のストッパ部の突起部を鍵盤シャーシの開口部内に確実に挿入させることができるので、鍵の上方への飛び出しを確実に防ぐことができる。
【図面の簡単な説明】
【００１６】
【図１】この発明を適用した鍵盤楽器の実施形態１を示した断面図である。
【図２】図１の鍵盤楽器において鍵を鍵盤シャーシに取り付ける際に、鍵を鍵盤シャーシの上方に対応させた状態を示した要部の拡大断面図である。
【図３】図２において鍵２のストッパ部の下端部を鍵盤シャーシのストッパガイド部上に載置させた状態を示した要部の拡大断面図である。
【図４】図３において鍵を鍵盤シャーシの前側に向けて移動させた状態を示した要部の拡大断面図である。
【図５】図４の要部を更に拡大して示した断面図である。
【図６】図４において鍵を前上がりに回動させて鍵盤シャーシ上に配置させて取り付けた状態を示した要部の拡大断面図である。
【図７】図６の要部を更に拡大して示した断面図である。
【図８】この発明を適用した鍵盤楽器の実施形態２において要部を示した拡大断面図である。
【図９】図８の鍵盤楽器において鍵を鍵盤シャーシに取り付ける際に、鍵を鍵盤シャーシの上方に対応させた状態を示した要部の拡大断面図である。
【図１０】図９において鍵２のストッパ部の下端部を鍵盤シャーシのストッパガイド部上に載置させた状態を示した要部の拡大断面図である。
【図１１】図１０において鍵を鍵盤シャーシの前側に向けて移動させた状態を示した要部の拡大断面図である。
【発明を実施するための形態】
【００１７】
（実施形態１）
以下、図１〜図７を参照して、この発明を鍵盤楽器に適用した実施形態１について説明する。
この鍵盤楽器は、図１に示すように、合成樹脂製の鍵盤シャーシ１と、この鍵盤シャーシ１上に上下方向に回動可能に配置された複数の鍵２（図１では１つの白鍵および１つの黒鍵のみを示す）と、この複数の鍵２の各押鍵動作に応じてそれぞれオン信号を出力する複数のゴムスイッチ３（図１では１つのみを示す）と、鍵盤シャーシ１の後側上部に設けられて複数の鍵２の各後端部側を覆う上部ケース４とを備えている。
【００１８】
この場合、上部ケース４は、合成樹脂からなり、図１に示すように、表示部４ａや、操作スイッチ、スピーカ（いずれも図示せず）などの鍵盤楽器に必要な各種の部品が組み付けられるように構成されている。複数の鍵２は、合成樹脂からなる複数の白鍵５（図１では１つのみを示す）と、合成樹脂からなる複数の黒鍵６（図１では１つのみを示す）とを備えている。
【００１９】
白鍵５は、図１に示すように、その内部が中空状に形成されている。この白鍵５は、その後端部（図１では右端部）に複数の白鍵５の配列方向（図１では紙面の表裏方向）に沿って各白鍵５を順次連結する共通連結部５ａが形成されていると共に、この共通連結部５ａに各白鍵５をそれぞれ上下方向に回動変位させるための薄肉形状の屈曲部５ｂが形成された構成になっている。
【００２０】
また、黒鍵６も、白鍵５と同様、その内部が中空状に形成されている。この黒鍵６も、図１に示すように、その後端部（図１では右端部）に複数の黒鍵６の配列方向に沿って各黒鍵６を順次連結する共通連結部６ａが形成されていると共に、この共通連結部６ａに各黒鍵６をそれぞれ上下方向に回動変位させるための薄肉形状の屈曲部６ｂが形成された構成になっている。
【００２１】
これにより、複数の鍵２は、図１に示すように、白鍵５の共通連結部５ａを黒鍵６の共通連結部６ａ上に重ね合わせ、この状態で両者の共通連結部５ａ、６ａを鍵盤シャーシ１の後部側に設けられた後述する鍵支持部２８上に取り付けることにより、複数の白鍵５および複数の黒鍵６が鍵盤シャーシ１上に配列された状態で、上下方向に回動可能に取り付けられるように構成されている。
【００２２】
したがって、複数の鍵２は、図１に示すように、各白鍵５がそれぞれ押鍵された際に、各白鍵５の各屈曲部５ｂがそれぞれ上下方向に撓むように屈曲変形することにより、各白鍵５が上下方向に回動変位すると共に、各黒鍵６がそれぞれ押鍵された際に、各黒鍵６の各屈曲部６ｂがそれぞれ上下方向に撓むように屈曲変形することにより、各黒鍵６が上下方向に回動変位するように構成されている。
【００２３】
この場合、白鍵５と黒鍵６とは、その前後方向の長さおよび上下方向の高さがそれぞれ異なるが、これ以外はほぼ同じ構成になっている。このため、以下の説明では、白鍵５および黒鍵６を鍵２として説明する。
この複数の鍵２における前後方向のほぼ中間部には、図１に示すように、スイッチ押圧部７が下側に延出して設けられている。このスイッチ押圧部７は、鍵盤シャーシ１上に取り付けられた後述するスイッチ基板８上に設けられたゴムスイッチ３に対応し、鍵２が押鍵された際にゴムスイッチ３を押圧するように構成されている。
【００２４】
このゴムスイッチ３は、図１に示すように、スイッチ基板８上に設けられたゴムシートを備え、このゴムシートにドーム状の膨出部を各鍵２のスイッチ押圧部７にそれぞれ対応させて形成した構成になっている。これにより、ゴムスイッチ３は、ゴムシートの膨出部がスイッチ押圧部７によって押し下げられた際に、膨出部が弾性変形して、その内部の可動接点がスイッチ基板８上の固定接点に接触することにより、オン信号を出力するように構成されている。
【００２５】
さらに、鍵２におけるスイッチ押圧部７の前側(図１では左側)には、図１に示すように、鍵２の上限位置と下限位置とを規制するためのストッパ部１０が下側に延出して形成されている。このストッパ部１０は、鍵２の下側に延出された板状の垂下部１１と、この垂下部１１の下部に設けられて鍵２の前側（図１では左側）に突出する突起部１２とを備えた構成になっている。この場合、突起部１２を含む垂下部１１の下端部における前後方向（図５では左右方向）の長さ（Ｌ）は、図５に示すように、垂下部１１の前後方向の幅（Ｗ）よりも十分に長く形成されている。
【００２６】
一方、鍵盤シャーシ１は、図１に示すように、楽器本体の下部ケースを兼ねるように構成されている。すなわち、この鍵盤シャーシ１の前端部（図１では左端部）には、鍵２の前端下部を覆う前カバー部１３が底部から上方に突出して形成されている。この前カバー部１３の後部側には、図１〜図７に示すように、白鍵５の前端部を上下方向に移動可能に配置する白鍵逃げ部１４が窪んで設けられている。
【００２７】
この鍵盤シャーシ１における白鍵逃げ部１４の後部側（図１では右側）には、図１〜図７に示すように、立上り部１５が形成されており、この立上り部１５の上下方向における中間部には、後述する補助ガイド部１６が設けられている。また、この立上り部１５の上部には、前カバー部１３よりも少し低い高さで、平坦部１７が後側に向けて形成されている。この平坦部１７の後部（図２では右側）には、立下り部１８が設けられている。
【００２８】
この立下り部１８には、図１〜図７に示すように、鍵２のストッパ部１０の突起部１２が上下方向に移動可能に挿入することにより、鍵２の上下方向の回動範囲を規制するための開口部２０が設けられている。この開口部２０の上部に位置する平坦部１７の下面には、図１および図６に示すように、鍵２の初期状態または鍵２が押鍵された後に初期位置に復帰する際に、ストッパ部１０の突起部１２が下方から当接するフェルトなどからなる上限位置規制部２１が設けられている。
【００２９】
また、開口部２０が設けられた立下り部１８の後部側（図１では右側）には、図１〜図７に示すように、鍵２のストッパ部１０が上下方向に移動可能に配置されるストッパ逃げ部２２が窪んで設けられている。このストッパ逃げ部２２の底部上には、鍵２が押鍵された際に、ストッパ部１０の下端部が上方から当接するフェルトなどからなる下限位置規制部２３が設けられている。
【００３０】
このストッパ逃げ部２２の後部側（図１では右側）には、図１〜図７に示すように、立上り部２４が設けられており、この立上り部２４の上部には、後述するストッパガイド部２５が傾斜して設けられている。このストッパガイド部２５の後端部上には、鍵２の内部に挿入して鍵２の横振れを防ぐための鍵ガイド部２６が設けられている。また、このストッパガイド部２５の後端下部には、中間脚部２７が設けられており、この中間脚部２７上には、前述したゴムスイッチ３を搭載するスイッチ基板８が取り付けられている。
【００３１】
さらに、鍵盤シャーシ１の後部、つまり中間脚部２７の後部側（図１では左側）には、図１〜図４に示すように、鍵取付部２８が前カバー部１３とほぼ同じ高さで形成されている。この鍵取付部２８上には、図１および図６に示すように、白鍵５の共通連結部５ａが黒鍵６の共通連結部６ａ上に重ね合わされた状態で、その両者の共通連結部５ａ、６ａが取り付けられるように構成されている。
【００３２】
ところで、鍵盤シャーシ１のストッパガイド部２５は、図２〜図７に示すように、鍵２を鍵盤シャーシ１に取り付ける際に、鍵２を前下がりに傾けて鍵２のストッパ部１０の下端部を載置した状態で、ストッパ部１０の突起部１２を鍵盤シャーシ１の開口部２０内に向けてガイドするように構成されている。
【００３３】
すなわち、このストッパガイド部２５は、図２〜図５に示すように、鍵盤シャーシ１の立下り部１８に設けられた開口部２０からその後部側（図５では右側）に所定間隔離れた位置、つまりストッパ逃げ部２２の間隔（Ｔ）だけ離れた位置に設けられている。このストッパガイド部２５は、開口部２０側であるストッパ逃げ部２２側に位置する前部側が低く、その後部側が次第に高くなるように、上面が傾斜面２５ａに形成されている。
【００３４】
これにより、ストッパガイド部２５は、図３に示すように、その上面の傾斜面２４ａによってストッパ部１０の下端部を載置して鍵２を前下がりに傾けた状態で、ストッパ部１０の突起部１２を鍵盤シャーシ１の前側に向けてガイドするように構成されている。この場合、立下り部１８の開口部２０とストッパガイド部２５との間に設けられたストッパ逃げ部２２の間隔（Ｔ）は、図５に示すように、ストッパ部１０の突起部１２を除く垂下部１１の前後方向の幅（Ｗ）よりも少し広い間隔（Ｔ＞Ｗ）で設けられている。
【００３５】
また、ストッパガイド部２５における傾斜面２５ａの前端部は、図３〜図５に示すように、鍵盤シャーシ１の開口部２０の内側上部、つまり上限位置規制部２１よりも、ストッパ部１０の突起部１２における上下方向の高さ（Ｈ）とほぼ同じ高さだけ低い位置に形成されている。これにより、ストッパ部１０の突起部１２は、図３および図４に示すように、ストッパガイド部２５の傾斜面２５ａに沿って傾斜した状態でガイドされた際に、鍵盤シャーシ１の開口部２０内に挿入するように構成されている。
【００３６】
また、ストッパ部１０の突起部１２を含む垂下部１１の下端部における前後方向の長さ（Ｌ）は、図５に示すように、鍵盤シャーシ１の開口部２０とその後部側のストッパガイド部２５との間に設けられたストッパ逃げ部２２の間隔（Ｔ）よりも十分に長く（Ｌ＞＞Ｔ）形成されている。これにより、突起部１２は、垂下部１１の前端部から鍵２の前側に向けて十分に長く（Ｌ−Ｔ）突出して、ストッパ部１０の垂下部１１の前端部が開口部２０の縁部に当接した際に、鍵盤シャーシ１の開口部２０内に十分な長さ（Ｌ−Ｔ）で挿入するように構成されている。
【００３７】
また、ストッパ部１０の垂下部１１の後端部とストッパガイド部２５の前端部との間には、図７に示すように、ストッパ部１０の突起部１２が鍵盤シャーシ１の開口部２０内に挿入されて上下方向に移動する際に、垂下部１１の後端部とストッパガイド部２５の前端部とが接触しないように、僅かな隙間（Ｓ１）が設けている。この隙間（Ｓ１）は、ストッパ部１０の突起部１２が垂下部１１の前端部から突出する長さに比べて、大幅に小さく形成されている。また、ストッパ部１０の垂下部１１の前端部と鍵盤シャーシ１の立下り部１８との間にも、その両者の接触を防ぐために、僅かな隙間（Ｓ２）が設けられている。
【００３８】
さらに、鍵盤シャーシ１の前側に位置する立上り部１５には、図２および図３に示すように、鍵２の前端下部をストッパガイド部２５と同じ傾斜角度でガイドする補助ガイド部１６が、ストッパガイド部２５の傾斜面２５ａの延長上に設けられている。この補助ガイド部１６は、ストッパガイド部２５と同様、白鍵逃げ部１４側に位置する前部側が低く、その後部側が次第に高くなるように、上面がストッパガイド部２５の傾斜面２５ａと同じ傾斜角度の傾斜面に形成された構成になっている。
【００３９】
これにより、補助ガイド部１６は、図３に示すように、鍵２のストッパ部１０がストッパガイド部２５の傾斜面２５ａで傾斜してガイドされる際に、ストッパガイド部２５の傾斜面２５ａと同じ角度で鍵２を前下がりに傾けた状態で、鍵２の前端部が補助ガイド部１６の傾斜面に当接し、この状態で鍵２の前端部をストッパガイド部２５の傾斜面２５ａと同じ傾斜角度でガイドするように構成されている。
【００４０】
次に、鍵２を鍵盤シャーシ１上に取り付ける場合について説明する。
この場合には、図２に示すように、まず、白鍵５の共通連結部５ａを黒鍵６の共通連結部６ａ上に重ね合わせて、複数の白鍵５および複数の黒鍵６からなる複数の鍵２を配列させる。この状態で、複数の鍵２を鍵盤シャーシ１のストッパガイド部２５の傾斜面２５ａとほぼ同じ角度で前下がりに傾け、この状態で複数の鍵２を鍵盤シャーシ１の上方に対応させる。このときには、鍵２の前端部を鍵盤シャーシ１の補助ガイド部１６に対応させると共に、鍵２のストッパ部１０を鍵盤シャーシ１のストッパガイド部２５に対応させる。
【００４１】
この後、図３に示すように、鍵２を前下がりに傾けた状態で鍵盤シャーシ１上に配置する際に、鍵２のストッパ部１０の下端を鍵盤シャーシ１のストッパガイド部２５上に当接させて載置すると共に、鍵２の前端部の下端を鍵盤シャーシ１の補助ガイド部１６上に当接させて載置する。この状態で、鍵２を鍵盤シャーシ１の前側に向けて移動させると、鍵２のストッパ部１０の下端が鍵盤シャーシ１のストッパガイド部２５の傾斜面２５ａに沿って傾斜しながら移動すると共に、鍵２の前端部の下端が鍵盤シャーシ１の補助ガイド部１６の傾斜面に沿って傾斜しながら移動する。
【００４２】
このように鍵２のストッパ部１０の下端が鍵盤シャーシ１のストッパガイド部２５の傾斜部２５ａでガイドされると、図４に示すように、ストッパ部１０の突起部１２が鍵盤シャーシ１の立下り部１８に設けられた開口部２０内に挿入する。そして、ストッパ部１０の垂下部１１の前端部が開口部２０の上端の縁部つまり立下り部１８の上端部に当接すると、白鍵５の前端部が鍵盤シャーシ１の前カバー部１３に接近または接触し、鍵２が前下がりに傾いた状態で位置規制される。
【００４３】
このときには、鍵２のストッパ部１０の下端部が鍵盤シャーシ１のストッパガイド部２５から前側（図４では左側）に離れてストッパ逃げ部２２に対応すると共に、鍵２の前端部の下部が鍵盤シャーシ１の補助ガイド部１６から前側に離れて白鍵逃げ部１４に対応する。この状態で、ストッパ部１０の垂下部１１の前端部が開口部２０の上端の縁部つまり立下り部１８の上端部に当接して、突起部１２と上限位置規制部２１とが接触する箇所を回動中心（Ｐ）として、鍵２を図４において時計回りに回動させる。
【００４４】
すると、図６に示すように、鍵２は、その前部側が上方に移動し、後端部の共通連結部５ａ、６ａが下方に移動して鍵盤シャーシ１の鍵支持部２８上に配置される。この状態で、鍵２を位置合わせした後、共通連結部５ａ、６ａを鍵盤シャーシ１の鍵支持部２８上に取り付ける。これにより、複数の鍵２が一度に鍵盤シャーシ１上に上下方向に回動可能な状態で取り付けられる。
【００４５】
このときには、図６に示すように、鍵２のストッパ部１０における突起部１２が、鍵盤シャーシ１の開口部２０内に挿入した状態で、上限位置規制部２１に下側から当接して、鍵２の上限位置が規制される。また、この状態では、ストッパ部１０の垂下部１１の後端部とストッパガイド部２５の前端部との間に僅かな隙間（Ｓ１）が設けられると共に、ストッパ部１０の垂下部１１の前端部と鍵盤シャーシ１の立下り部１８との間にも、僅かな隙間（Ｓ２）が設けられるほか、鍵２の前端面と前カバー部１３との間にも僅かな隙間が設けられる。
【００４６】
これにより、鍵２が押鍵操作されて各鍵２の各屈曲部５ｂ、６ｂを中心に上下方向に回動する際には、鍵２のストッパ部１０の垂下部１１が鍵盤シャーシ１のストッパガイド部２５の前端部と立下り部１８との両者に接触することなく上下方向に移動すると共に、鍵２の前端部も鍵盤シャーシ１の補助ガイド部１６の前端面と前カバー部１３との両者に接触することなく上下方向に移動する。
【００４７】
このため、この鍵盤楽器では、鍵２が押鍵操作されると、各鍵２の各屈曲部５ｂ、６ｂが押鍵操作に応じて上下方向に撓むように屈曲変形することにより、図６において反時計回りに回動して、鍵２のスイッチ押圧部７がゴムスイッチ３を押圧してゴムスイッチ３をオンさせた後、鍵２のストッパ部１０の下端部が下限位置規制部２３に当接して、鍵２の反時計回りの回動が停止される。
【００４８】
この後、鍵２の屈曲部５ｂまたは６ｂが弾性復帰することにより、鍵２が時計回りに回動して初期位置に復帰する。このときには、鍵２のストッパ部１０における突起部１２が、鍵盤シャーシ１の開口部２０内に挿入した状態で、上限位置規制部２１に下側から当接して鍵２の上限位置が規制され、鍵２が初期位置に戻る。
【００４９】
このように、この鍵盤楽器によれば、鍵盤シャーシ１に鍵２を取り付ける際に、鍵盤シャーシ１に設けられたストッパガイド部２５上に鍵２のストッパ部１０の下端部を載置させて鍵２を前下がりに傾けた状態で、鍵２を鍵盤シャーシ１の前側に向けて移動させるだけで、鍵２のストッパ部１０における突起部１２を鍵盤シャーシ１の開口部２０内に簡単に且つ確実に挿入させることができる。
【００５０】
このため、鍵２を鍵盤シャーシ１上に安定させた状態で載置して鍵盤シャーシ１の前側に向けて移動させることができるので、鍵盤シャーシ１に対する鍵２の取付作業性が良い。また、鍵２のストッパ部１０の突起部１２を鍵盤シャーシ１の開口部２０内に確実に挿入させることができるので、鍵２のストッパ部１０の突起部１２を鍵盤シャーシ１の開口部２０の上部に位置する上限位置規制部２１に確実に当接させることができ、これにより鍵２の上方への飛び出しを確実に防ぐことができる。
【００５１】
この場合、ストッパガイド部２５は、鍵盤シャーシ１における開口部２０からその後部側に所定間隔（Ｔ）だけ離れた位置に設けられ、且つ開口部２０側に位置する前端部側が低く、その後部側が次第に高くなる傾斜面２５ａを有し、この傾斜面２５ａでストッパ部１０の垂下部１１の下端部を載置して鍵２を前下がりに傾け、この状態で鍵２を鍵盤シャーシ１の前側に向けてガイドするので、ストッパ部１０の下端部をストッパガイド部２５の傾斜面２５ａに沿って移動させるだけで、鍵２のストッパ部１０の突起部１２を鍵盤シャーシ１の開口部２０内に簡単に且つ確実に挿入させることができる。
【００５２】
また、鍵盤シャーシ１のストッパガイド部２５における傾斜面２５ａの前端部は、鍵盤シャーシ１の開口部２０の内側上部よりも、鍵２のストッパ部１０における突起部１２の上下方向の高さ（Ｈ）とほぼ同じ高さだけ低い位置に形成されていることにより、鍵２を前下がりに傾斜させた状態で、ストッパ部１０の下端部をストッパガイド部２５の傾斜面２５ａに沿って移動させた際に、鍵２のストッパ部１０の突起部１２を鍵盤シャーシ１の開口部２０内に確実に挿入させることができる。
【００５３】
また、鍵２のストッパ部１０の突起部１２を含む垂下部１１の下端部における前後方向の長さ（Ｌ）は、鍵盤シャーシ１の開口部２０とストッパガイド部２５との間に設けられたストッパ逃げ部２２の間隔（Ｔ）よりも十分に長く（Ｌ＞＞Ｔ）形成されていることにより、ストッパ部１０の前端部を開口部２０の縁部に当接させた際に、鍵２のストッパ部１０の突起部１２を鍵盤シャーシ１の開口部２０内に十分な長さで挿入させることができる。
【００５４】
このため、鍵２の共通連結部５ａ、６ａを鍵盤シャーシ１の鍵取付部２８に取り付ける際に、鍵２を前後方向にずらして位置合わせしても、突起部１２の前部側を上限位置規制部２１に確実に対応させることができる。この場合、ストッパ部１０の垂下部１１の前端部を開口部２０の縁部に当接させて、突起部１２と上限位置規制部２１とを接触させた状態で、この接触した箇所を回動中心（Ｐ）として、前下がりに傾斜した鍵２を時計回りに回動させることができるので、これによっても鍵２を安定させた状態で鍵盤シャーシ１に取り付けることができ、取付作業性の更なる向上を図ることができる。
【００５５】
また、鍵２のストッパ部１０は、その垂下部１１の下端部がストッパガイド部２５によってガイドされてストッパガイド部２５から前側に離れると、垂下部１１の前端部が開口部２０の縁部に当接するので、垂下部１１を位置規制することができる。これにより、垂下部１１の下端部をストッパ逃げ部２２内に挿入可能な状態で対応させることができるので、ストッパ逃げ部２２の間隔（Ｔ）を鍵２のストッパ部１０の突起部１２を除く垂下部１１の前後方向の幅（Ｗ）に対して、最小限の広さで形成することができる。
【００５６】
このため、鍵盤シャーシ１の開口部２０とストッパガイド部２５との間に設けられたストッパ逃げ部２２の間隔（Ｔ）は、鍵２のストッパ部１０の突起部１２を除く垂下部１１の前後方向の幅（Ｗ）に対して、最小限の広さの間隔（Ｔ＞Ｗ）で設けられていることにより、鍵２のストッパ部１０の突起部１２を鍵盤シャーシ１の開口部２０内に挿入させた際に、鍵２のストッパ部１０をストッパ逃げ部２２内に上下方向に移動可能に配置させることができる。
【００５７】
また、鍵２のストッパ部１０における突起部１２の前部側が鍵盤シャーシ１の開口部２０に挿入されて上下方向に移動する際に、ストッパ部１０の垂下部１１の後端部と鍵盤シャーシ１のストッパガイド部２５の前端部との間には、僅かな隙間（Ｓ１）が設けられていることにより、鍵２が押鍵操作されてストッパ部１０が上下方向に移動する際に、ストッパ部１０の後端部がストッパガイド部２５の前端部に接触することなく、円滑に上下方向に移動させることができる。
【００５８】
この場合、ストッパ部１０の垂下部１１の後端部と鍵盤シャーシ１のストッパガイド部２５の前端部との間に設けられた僅かな隙間（Ｓ１）は、鍵２のストッパ部１０における突起部１２が垂下部１１の前端部から前側に突出する突出長さに比べて、大幅に狭いので、鍵２が衝撃を受けたり、また鍵２が押鍵操作されたりした際に、仮に鍵２が後方にずれても、その後方へのずれ量を最小限に抑えることができ、これにより鍵２のストッパ部１０における突起部１２が鍵盤シャーシ１の開口部２０から抜け出して、鍵２が上方に飛び出さないようにすることができる。
【００５９】
さらに、鍵盤シャーシ１には、鍵２の前端下部をストッパガイド部２５とほぼ同じ傾斜角度でガイドする補助ガイド部１６が設けられていることにより、鍵２を前下がりに傾斜させた状態で鍵２を鍵盤シャーシ１の前側に向けて移動させる際に、鍵２のストッパ部１０の下端部を鍵盤シャーシ１のストッパガイド部２５の傾斜面２５ａに沿って移動させると共に、鍵２の前端部の下端部を鍵盤シャーシ１の補助ガイド部１６の傾斜面に沿って移動させることができる。
【００６０】
このため、鍵２を前下がりに傾斜させた状態でも、鍵盤シャーシ１のストッパガイド部２５と補助ガイド部１６との両者によって、鍵２の傾斜角度を一定に保って安定した状態で鍵２を鍵盤シャーシ１の前側に向けて移動させることができる。これにより、鍵２のストッパ部１０の突起部１２を鍵盤シャーシ１の開口部２０内に正確に且つ確実に挿入させることができると共に、鍵２を鍵盤シャーシ１に対して容易に取り付けることができるので、これによっても鍵２の取付作業性の更なる向上を図ることができる。
【００６１】
（実施形態２）
次に、図８〜図１１を参照して、この発明を鍵盤楽器に適用した実施形態２について説明する。なお、図１〜図７に示された実施形態１と同一部分には同一符号を付して説明する。
この鍵盤楽器は、図８〜図１１に示すように、鍵２のストッパ部３０の下端部に傾斜部３１を形成し、鍵盤シャーシ１のストッパガイド部３２を平坦面３２ａに形成した構成であり、これ以外は実施形態１とほぼ同じ構成になっている。
【００６２】
すなわち、鍵２のストッパ部３０は、実施形態１と同様、鍵２の下側に延出された板状の垂下部１１と、この垂下部１１の下部に設けられて鍵２の前側（図８では左側）に突出する突起部１２とを備えた構成になっている。この場合にも、突起部１２を含む垂下部１１の下端部における前後方向（図９では左右方向）の長さ（Ｌ）は、図９に示すように、垂下部１１における前後方向の幅（Ｗ）よりも十分に長く形成されている。
【００６３】
このストッパ部３０の下端部、つまり垂下部１１の下端部には、図８〜図１１に示すように、傾斜部３１が形成されている。この傾斜部３１は、図１０に示すように、鍵２のストッパ部３０が鍵盤シャーシ１のストッパガイド部３２上に載置されて鍵盤シャーシ１の前側（図１０では左側）に向けて移動する際に、鍵２を前下がりに傾斜させた状態で移動させるためのものであり、図８に示すように、前部側が高く後部側が次第に低くなるように形成されている。
【００６４】
一方、鍵盤シャーシ１のストッパガイド部３２は、図８〜図１１に示すように、立下り部１８の開口部２０から後方（図９では右側）に所定間隔離れた位置、つまりストッパ逃げ部２２の間隔（Ｔ）だけ離れた位置に設けられている。このストッパガイド部３２は、図９に示すように、その上面がほぼ水平な平坦面３２ａに形成されている。
【００６５】
この平坦面３２ａは、鍵盤シャーシ１の開口部２０の内側上部、つまり上限位置規制部２１よりも、ストッパ部３０の突起部１２における上下方向の高さ（Ｈ）とほぼ同じ高さだけ低い位置に形成されている。これにより、ストッパガイド部３２の平坦面３２ａは、図１１に示すように、ストッパ部３０の下端部の傾斜部３１をガイドした際に、突起部１２が鍵盤シャーシ１の開口部２０内に挿入するように構成されている。
【００６６】
また、ストッパ部３０の突起部１２における前後方向の長さ（Ｌ）は、図９に示すように、鍵盤シャーシ１の開口部２０とその後部側のストッパガイド部３２との間に設けられたストッパ逃げ部２２の間隔（Ｔ）よりも十分に長く（Ｌ＞＞Ｔ）形成されている。これにより、突起部１２は、垂下部１１の前端部から鍵２の前側に向けて十分に長く（Ｌ−Ｔ）突出して、ストッパ部３０の垂下部１１の前端部が開口部２０の縁部に当接した際に、鍵盤シャーシ１の開口部２０内に十分な長さで挿入するように構成されている。
【００６７】
この場合にも、立下り部１８の開口部２０とストッパガイド部３０との間に設けられたストッパ逃げ部２２の間隔（Ｔ）は、実施形態１と同様、ストッパ部３０の垂下部１１における前後方向の幅（Ｗ）よりも最小限に広い間隔（Ｔ＞Ｗ）で設けられている。これにより、鍵２のストッパ部３０は、図１１に示すように、鍵盤シャーシ１の前側に向けて移動してストッパ部３０の傾斜部３１がストッパガイド部３０の平坦面３２ａ上から離れた際に、図８に示すように、ストッパ部３０がストッパ逃げ部２２内に配置されるように構成されている。
【００６８】
また、ストッパ部３０の垂下部１１の後端部とストッパガイド部３２の前端部との間には、図８に示すように、ストッパ部３０の突起部１２が鍵盤シャーシ１の開口部２０に挿入されて上下方向に移動する際に、垂下部１１の後端部とストッパガイド部３２の前端部とが接触しないように、僅かな隙間（Ｓ１）が設けている。この隙間（Ｓ１）は、ストッパ部３０の突起部１２が垂下部１１の前端部から突出する長さに比べて、大幅に小さく形成されている。また、ストッパ部３０の垂下部１１の前端部と鍵盤シャーシ１の立下り部１８との間にも、その両者の接触を防ぐために、僅かな隙間（Ｓ２）が設けられている。
【００６９】
さらに、鍵盤シャーシ１の前側に位置する立上り部１５には、図８〜図１１に示すように、鍵２の前端下部をストッパガイド部３２と同様にガイドする補助ガイド部３３が、ストッパガイド部３２の平坦面３２ａよりも低い高さで設けられている。この場合、鍵２の前端下部には、図８〜図１１に示すように、ストッパ部３０の傾斜部３１と同じ傾斜角度の補助傾斜部３４が形成されている。
【００７０】
すなわち、この補助傾斜部３４は、図８に示すように、前部側が高く、その後部側が次第に低くなるように形成されている。これにより、補助傾斜部３４は、図１０に示すように、鍵盤シャーシ１の補助ガイド部３３上に載置された際に、鍵２を前下がりに傾け、この状態で補助ガイド部３３の平坦面上に沿って鍵盤シャーシ１の前側に向けて移動することにより、鍵２を前下がり傾斜させた状態でガイドするように構成されている。
【００７１】
次に、鍵２を鍵盤シャーシ１上に取り付ける場合について説明する。
この場合にも、図９に示すように、まず、白鍵５の共通連結部５ａを黒鍵６の共通連結部６ａ上に重ね合わせて、複数の白鍵５および複数の黒鍵６からなる複数の鍵２を配列させる。この状態で、複数の鍵２をストッパ部３０の傾斜部３１とほぼ同じ傾斜角度、つまり傾斜部３１の下端部が水平な状態になるように前下がりに傾けた状態で、鍵盤シャーシ１の上方に対応させる。このときには、鍵２の前端部を鍵盤シャーシ１の補助ガイド部３３に対応させると共に、鍵２のストッパ部３０を鍵盤シャーシ１のストッパガイド部３２に対応させる。
【００７２】
この後、図１０に示すように、鍵２を前下がりに傾斜させた状態で、鍵盤シャーシ１上に配置する際に、鍵２のストッパ部３０の下端を鍵盤シャーシ１のストッパガイド部３２上に当接させて載置すると共に、鍵２の前端部の下端を鍵盤シャーシ１の補助ガイド部３３上に当接させて載置する。すると、鍵２のストッパ部３０における傾斜部３１の下端面がストッパガイド部３２の平坦面３２ａ上に平行に配置されると共に、鍵２の前端部における補助傾斜部３４の下端面が補助ガイド部３３の平坦面上に平行に配置される。
【００７３】
この状態で、図１０および図１１に示すように、鍵２を鍵盤シャーシ１の前側に向けて移動させると、鍵２の前端部の補助傾斜部３４が鍵盤シャーシ１の補助ガイド部３３の平坦面に沿ってほぼ水平に移動すると共に、鍵２のストッパ部３０の傾斜部３１が鍵盤シャーシ１のストッパガイド部３２の平坦面３２ａ上に沿ってほぼ水平に移動する。
【００７４】
このように鍵２のストッパ部３０の傾斜部３１が鍵盤シャーシ１のストッパガイド部３２の平坦面３２ａでガイドされると、図１１に示すように、ストッパ部３０の突起部１２が鍵盤シャーシ１の立下り部１８に設けられた開口部２０内に挿入する。そして、ストッパ部３０の垂下部１１の前端部が開口部２０の上端の縁部つまり立下り部１８の上端部に当接すると、白鍵５の前端部が鍵盤シャーシ１の前カバー部１３に接近または接触し、鍵２が前下がりに傾いた状態で位置規制される。
【００７５】
このときには、鍵２のストッパ部３０の傾斜部３１が鍵盤シャーシ１のストッパガイド部３２から前側（図１１では左側）に離れてストッパ逃げ部２２に対応すると共に、鍵２の前端部の補助傾斜部３４が鍵盤シャーシ１の補助ガイド部３３から前側に離れて白鍵逃げ部１４に対応する。この状態で、ストッパ部３０の垂下部１１の前端部が開口部２０の上端の縁部つまり立下り部１８の上端部に当接して、突起部１２と上限位置規制部２１とが接触した箇所を回動中心（Ｐ）として、鍵２を図１１において時計回りに回動させる。
【００７６】
すると、図８に示すように、鍵２は、その前部側が上方に移動し、後端部の共通連結部５ａ、６ａが下方に移動して鍵盤シャーシ１の鍵支持部２８上に配置される。この状態で、鍵２を位置合わせした後、共通連結部５ａ、６ａを鍵盤シャーシ１の鍵支持部２８上に取り付ける。これにより、複数の鍵２が一度に鍵盤シャーシ１上に上下方向に回動可能な状態で取り付けられる。
【００７７】
このときには、図８に示すように、鍵２のストッパ部３０における突起部１２が、鍵盤シャーシ１の開口部２０内に挿入した状態で、上限位置規制部２１に下側から当接して、鍵２の上限位置が規制される。また、この状態では、ストッパ部３０の後端部とストッパガイド部３２の前端部との間に僅かな隙間（Ｓ１）が設けられると共に、ストッパ部１０の垂下部１１の前端部と鍵盤シャーシ１の立下り部１８との間にも、僅かな隙間（Ｓ２）が設けられるほか、鍵２の前端面と前カバー部１３との間にも僅かな隙間が設けられる。
【００７８】
これにより、鍵２が押鍵操作されて各鍵２の各屈曲部５ｂ、６ｂを中心に上下方向に回動する際には、鍵２のストッパ部１０の垂下部１１が鍵盤シャーシ１のストッパガイド部２５の前端部と立下り部１８との両者に接触することなく上下方向に移動すると共に、鍵２の前端部も鍵盤シャーシ１の補助ガイド部１６の前端面と前カバー部１３との両者に接触することなく上下方向に移動する。
【００７９】
このように、この鍵盤楽器においても、鍵盤シャーシ１に鍵２を取り付ける際に、鍵盤シャーシ１に設けられたストッパガイド部３２上に鍵２のストッパ部３０における傾斜部３１の下端部を載置させて鍵２を前下がりに傾けた状態で、鍵２を鍵盤シャーシ１の前側に向けて移動させるだけで、実施形態１と同様、鍵２のストッパ部３０における突起部１２を鍵盤シャーシ１の開口部２０内に簡単に且つ確実に挿入させることができる。
【００８０】
このため、鍵２を鍵盤シャーシ１上に安定させた状態で載置して鍵盤シャーシ１の前側に向けて移動させることができるので、実施形態１と同様、鍵盤シャーシ１に対する鍵２の取付作業性が良い。また、鍵２のストッパ部３０の突起部１２を鍵盤シャーシ１の開口部２０内に確実に挿入させることができるので、実施形態１と同様、鍵２のストッパ部３０の突起部１２を鍵盤シャーシ１の開口部２０内の上部側に位置する上限位置規制部２１に確実に当接させることができ、これにより鍵２の上方への飛び出しを確実に防ぐことができる。
【００８１】
この場合、鍵２のストッパ部３０の下端部つまり垂下部１１の下端部には、その前端部側が高く、後部側が次第に低くなる傾斜面３１ａを有する傾斜部３１が形成されており、鍵盤シャーシ１における立下り部１８の開口部２０からその後部側に所定間隔離れた位置には、ストッパガイド部３２が設けられ、このストッパガイド部３２の上面がほぼ水平な平坦面３２ａに形成されているので、このストッパガイド部３２の平坦面３２ａ上に鍵２のストッパ部３０の傾斜部３１の下端部を平行に載置させると、傾斜部３１の傾斜角度と同じ傾斜で、鍵２を前下がりに傾斜させることができる。
【００８２】
このため、鍵２を前下がりに傾斜させた状態で、ストッパ部３０の傾斜部３１の下端部をストッパガイド部３２の平坦面３２ａに沿って移動させるだけで、鍵２のストッパ部３０における突起部１２の前部側を鍵盤シャーシ１の開口部２０内に簡単に且つ確実に挿入させることができるので、実施形態１と同様、鍵２を鍵盤シャーシ１に容易に取り付けることができ、これにより鍵盤シャーシ１に対する鍵２の取付作業性の向上を図ることができる。
【００８３】
この場合にも、鍵２のストッパ部３０は、その垂下部１１の下端部がストッパガイド部３２によってガイドされてストッパガイド部３２から前側に離れると、垂下部１１の前端部が開口部２０の縁部に当接するので、垂下部１１を位置規制することができる。これにより、垂下部１１の下端部をストッパ逃げ部２２内に挿入可能な状態で対応させることができるので、ストッパ逃げ部２２の間隔（Ｔ）を鍵２のストッパ部３０の突起部１２を除く垂下部１１の前後方向の幅（Ｗ）に対して、最小限の広さで形成することができる。
【００８４】
このため、鍵盤シャーシ１の開口部２０とストッパガイド部３２との間に設けられたストッパ逃げ部２２の間隔（Ｔ）は、鍵２のストッパ部３０の突起部１２を除く垂下部１１の前後方向の幅（Ｗ）に対して、最小限の広さの間隔（Ｔ＞Ｗ）で設けられていることにより、鍵２のストッパ部３０の突起部１２を鍵盤シャーシ１の開口部２０内に挿入させた際に、鍵２のストッパ部３０をストッパ逃げ部２２内に上下方向に移動可能に配置させることができる。
【００８５】
また、鍵２のストッパ部３０における突起部１２の前部側が鍵盤シャーシ１の開口部２０に挿入されて上下方向に移動する際に、ストッパ部３０の垂下部１１の後端部と鍵盤シャーシ１のストッパガイド部３２の前端部との間には、僅かな隙間（Ｓ１）が設けられていることにより、鍵２が押鍵操作されてストッパ部１０が上下方向に移動する際に、ストッパ部３０の後端部がストッパガイド部３２の前端部に接触することなく、円滑に上下方向に移動させることができる。
【００８６】
この場合、ストッパ部３０の垂下部１１の後端部と鍵盤シャーシ１のストッパガイド部３２の前端部との間に設けられた僅かな隙間Ｓ１は、鍵２のストッパ部３０における突起部１２が垂下部１１の前端部から前側に突出する突出長さに比べて、大幅に狭いので、鍵２が衝撃を受けたり、また鍵２が押鍵操作されたりした際に、仮に鍵２が後方にずれても、その後方へのずれ量を最小限に抑えることができ、これにより鍵２のストッパ部３０における突起部１２が鍵盤シャーシ１の開口部２０から抜け出して、鍵２が上方に飛び出さないようにすることができる。
【００８７】
さらに、鍵２の前端部における下部には、ストッパ部３０の傾斜部３１と同じ傾斜角度の傾斜部３４が設けられており、鍵盤シャーシ１には、鍵２の前端下部をストッパガイド部３２と同様にガイドする補助ガイド部３３が設けられていることにより、鍵２を前下がりに傾斜させた状態で鍵２を鍵盤シャーシ１の前側に向けて移動させる際に、鍵２のストッパ部３０の下端部を鍵盤シャーシ１のストッパガイド部３２の平坦面３２ａに沿って移動させると共に、鍵２の前端部における下端部の傾斜部３４を鍵盤シャーシ１の補助ガイド部３３の平坦面に沿って移動させることができる。
【００８８】
このため、鍵２を前下がりに傾斜させた状態でも、鍵盤シャーシ１のストッパガイド部３２と補助ガイド部３３との両者によって、鍵２の傾斜角度を一定に保って安定した状態で鍵２を鍵盤シャーシ１の前側に向けて移動させることができる。これにより、鍵２のストッパ部３０の突起部１２を鍵盤シャーシ１の開口部２０内に正確に且つ確実に挿入させることができると共に、鍵２を鍵盤シャーシ１に対して容易に取り付けることができるので、これによっても鍵２の取付作業性の更なる向上を図ることができる。
【００８９】
なお、上記実施形態１、２では、鍵２のうち、白鍵５がその後端部に屈曲部５ｂを介して共通連結部５ａを設けた構成で、黒鍵６がその後端部に屈曲部６ｂを介して共通連結部６ａを設けた構成で、且つ白鍵５の共通連結部５ａを黒鍵６の共通連結部６ａに重ね合わせて鍵盤シャーシ１上に取り付けた構成である場合について述べたが、これに限らず、鍵盤シャーシ１上に鍵支持部を設け、この鍵支持部に支持軸を設け、この支持軸に各白鍵５の後端部および各黒鍵６の後端部をそれぞれ回動可能に取り付けることにより、各鍵２がそれぞれ独立して上下方向に回動するように構成した鍵盤装置にも適用することができる。
【符号の説明】
【００９０】
１  鍵盤シャーシ
２  鍵
１０、３０  ストッパ部
１１  垂下部
１２  突起部
１４  白鍵逃げ部
１６、３３  補助ガイド部
１８  立下り部
２０  開口部
２１  上限位置規制部
２２  ストッパ逃げ部
２３  下限位置規制部
２５、３２  ストッパガイド部
２５ａ  傾斜面
２８  鍵取付部
３１  傾斜部
３２ａ  平坦面
Ｔ  ストッパ逃げ部の間隔
Ｗ  ストッパの前後方向の幅
Ｈ  突起部の上下方向の高さ
Ｌ  突起部の前後方向の長さ
Ｓ１  ストッパ部とストッパガイド部との隙間
【図１】
2010191265.tif 000003
【図２】
2010191265.tif 000004
【図３】
2010191265.tif 000005
【図４】
2010191265.tif 000006
【図５】
2010191265.tif 000007
【図６】
2010191265.tif 000008
【図７】
2010191265.tif 000009
【図８】
2010191265.tif 000010
【図９】
2010191265.tif 000011
【図１０】
2010191265.tif 000012
【図１１】
2010191265.tif 000013